(57)【要約】【課題】目的の戸パネルを容易かつ間違いなく識別することのできる部屋構造を提供する【解決手段】部屋空間Ａを構成し、複数の開口部１８を有する壁１６と、開口部１８のそれぞれに取り付けられた戸パネル２０と、戸パネル２０に取り付けられた取手２２と、取手２２に取り付けられた脱着式の取手カバー２４とを備える部屋構造１０において、取手カバー２４のそれぞれを、互いに視覚的に異なるようにする。これにより、１つの取手カバー２４を他の取手カバー２４から容易に識別することができる。【選択図】図１
2007270456.tif 000002
【特許請求の範囲】
【請求項１】
部屋空間を構成し、複数の開口部を有する壁と、
前記開口部のそれぞれに取り付けられた戸パネルと、
前記戸パネルに取り付けられた取手と、
前記取手に取り付けられた脱着式の取手カバーとを備える部屋構造であって、
前記取手カバーのそれぞれは、互いに視覚的に異なることを特徴とする部屋構造。
【発明の詳細な説明】
【技術分野】
【０００１】
本発明は、高齢者、身体障害者、または幼児等（以下、「高齢者等」と記載する。）が利用する住宅や病院などの施設、および老人ホームや保育所などの福祉施設に好適な部屋構造に関する。
【背景技術】
【０００２】
高齢者等が利用する福祉施設では、食堂、トイレ、廊下、または個室などの出入口がどこに通じているかを識別し易いようにすることが望まれており、従来では、出入口に取り付けられた戸パネルや出入口の横の壁にネームプレートを取り付けることで、この要求に応えるようにしていた。（例えば、特許文献１）。
【０００３】
しかし、視力が減退した高齢者等にとってネームプレートに記載された文字の判読は困難であった。また、視力に問題がない者であっても、ネームプレートの文字を誤読するおそれがあった。
【特許文献１】特開２００２−１９４９２９号公報（図２）
【発明の開示】
【発明が解決しようとする課題】
【０００４】
本発明は、このような従来の問題点に鑑みて開発されたものである。それゆえに本発明の主たる課題は、視力が減退した高齢者等であっても目的の戸パネルを容易に、かつ間違いなく識別することのできる部屋構造を提供することにある。
【課題を解決するための手段】
【０００５】
請求項１に記載した発明は、「部屋空間Ａを構成し、複数の開口部１８を有する壁１６と、開口部１８のそれぞれに取り付けられた戸パネル２０と、戸パネル２０に取り付けられた取手２２と、取手２２に取り付けられた脱着式の取手カバー２４とを備える部屋構造１０であって、取手カバー２４のそれぞれは、互いに視覚的に異なることを特徴とする部屋構造１０。」である。
【０００６】
本発明によれば、複数の戸パネル２０に取手２２が取り付けられており、また、それぞれの取手２２には、互いに視覚的に異なる取手カバー２４が取り付けられている。これにより、１つの取手カバー２４は、他の取手カバー２４から容易に識別される。また、取手カバー２４は脱着式であるから、取手カバー２４の交換が容易である。
【発明の効果】
【０００７】
本発明によれば、１つの取手カバーを他の取手カバーから容易に識別することができ、さらに、戸パネルを開閉する際に必ず目に入る取手カバーで戸パネルを視覚的に識別するので、目的の戸パネルを容易かつ間違いなく識別することのできる部屋構造を提供することができる。
【０００８】
また、取手カバーを容易に交換できるので、特別な工事を行うことなく短時間かつ低コストで、本発明に係る部屋構造を提供することができる。
【発明を実施するための最良の形態】
【０００９】
以下、本発明を図面に従って説明する。本発明に係る部屋構造１０は、図１に示すように、床面１２と、天井面１４と、複数の開口部１８を有し、床面１２および天井面１４と協働して部屋空間Ａを構成する壁１６と、壁１６の各開口部１８に取り付けられた戸パネル２０と、各戸パネル２０に取り付けられた取手２２と、各取手２２に取り付けられた取手カバー２４とを備えている。
【００１０】
壁１６は、図１に示すように、３つの平面状の壁面１６ａ、１６ｂ、および１６ｃで構成されており、図中中央の壁面１６ａには、２つの開口部１８が設けられている。また、図中左右両側の壁面１６ｂおよび１６ｃのそれぞれには、開口部１８が１つずつ設けられている。
【００１１】
開口部１８は、図１に示す部屋空間Ａと、部屋空間Ａに隣接する他の部屋空間（図示せず）との間を行き来するため、壁１６に設けられた矩形の出入口である。なお、開口部１８の内縁には、戸枠２６が取り付けられている。
【００１２】
なお、本実施例では、壁１６は、壁面１６ａ〜１６ｃにより平面に形成されているが、これに限られるものではなく、壁１６は、曲面であってもよいし、平面と曲面とを組み合わせたものであってもよい。また、開口部１８の形状も矩形に限定されるものではなく、曲線部を含む形状であってもよい。さらに、開口部１８の大きさについても、開口部１８の用途に応じて適宜決定することができる。
【００１３】
戸パネル２０は、開口部１８を開閉するための板材であり、１つの開口部１８において、１枚の戸パネル２０が２個のヒンジ２８を介して戸枠２６に取り付けられている。なお、本実施例では、戸パネル２０として片開き扉を用いているが、これに限定されるものではなく、両開き扉、親子扉、引戸など他形式の戸パネル２０を用いることができる。
【００１４】
取手２２は、図２に示すように、両端部を９０°曲げて「コ」字状に形成されたパイプ３０と、ベース３４とを備えており、パイプ３０の両端がそれぞれベース３４に取り付けられている。このベース３４がネジなどで戸パネル２０に取り付けられることで、取手２２が戸パネル２０に取り付けられる。なお、取手２２の種類は、取手カバー２４を取り付けることができるものであれば、パイプに限られず、レバーハンドルやドアノブなど他の形状であってもよい。また、取手２２の材質も、金属、陶器、合成樹脂、木材などを用いることができる。
【００１５】
取手カバー２４は、図３に示すように、合成樹脂など可撓性を有する材料で形成されたパイプ部材であり、長手方向にスリット３６が設けられている。また、本実施例では、４枚の戸パネル２０をそれぞれ識別するため、４つの取手カバー２４が使用されており、これら取手カバー２４の表面は、それぞれ赤色、青色、緑色、および白色に着色されている。そして、取手カバー２４を取手２２に装着する際には、スリット３６を取手２２のパイプ３０に対して平行に当接させ、取手カバー２４を取手２２に押圧すると、取手カバー２４が撓んでスリット３６の幅が広くなり、取手カバー２４が取手２２に嵌め込まれる。
【００１６】
次に、本発明に係る部屋構造１０を福祉施設のロビーに適用した場合について説明する。各開口部１８は、それぞれ食堂、スタッフルーム、トイレ、廊下に通じている。そして、予め、食堂に通じる開口部１８に係る戸パネル２０には、赤色の取手カバー２４が取り付けられており、スタッフルームに通じる開口部１８に係る戸パネル２０には、青色の取手カバー２４が取り付けられており、トイレに通じる開口部１８に係る戸パネル２０には、緑色の取手カバー２４が取り付けられており、廊下に通じる開口部１８に係る戸パネル２０には、白色の取手カバー２４が取り付けられている。これにより、初めて来た高齢者等に対して食堂等の案内をする際には、取手カバー２４の色を知らせるだけでよい。また、食堂に入る高齢者等は、赤色の取手カバー２４が取り付けられた戸パネル２０を探すだけで、食堂に通じる開口部１８に係る戸パネル２０を識別することができる。さらに、目的の戸パネル２０を文字ではなく取手カバー２４の色によって識別できるので、視力が減退した高齢者等や、漢字を読むことのできない幼児等であっても、目的の戸パネル２０を誤って識別することがない。また、木目柄の戸パネル２０に木目柄の取手２２が取り付けられている場合、取手２２の柄が戸パネル２０の柄に紛れて、取手２２の位置を把握し難い場合があるが、本発明にかかる部屋構造１０では、取手２２に取り付けられた取手カバー２４が戸パネル２０の柄に紛れることがないので、取手２２の位置が把握し易い。
【００１７】
また、本発明では、脱着式の取手カバー２４の外観に基づいて目的の戸パネル２０を識別できるようにしているので、戸パネル２０の外観や取手２２の外観に基づいて目的の戸パネル２０を識別するようにした場合に比べて、特別な工事を行うことなく短時間かつ低コストで、目的の戸パネル２０を容易かつ間違いなく識別することのできる部屋構造１０を提供することができる。
【００１８】
なお、本発明に係る部屋構造１０を福祉施設のロビーに適用した場合について説明したが、これに限らず、本発明に係る部屋構造１０は、福祉施設の廊下等、部屋構造１０が備える複数の戸パネル２０や複数の取手２２の外観が同一になり易い施設に好適である。
【００１９】
第２実施例に係る取手カバー２４は、図４（ａ）に示すように、一方端部に脱着部３８を有する可撓性の板材であり、脱着部３８には面ファスナーが取り付けられている。また、取手カバー２４における脱着部３８を有する面の反対面４０は、脱着部３８を貼り付けることができる生地で構成されている。なお、この場合も、１つの取手カバー２４を他の取手カバー２４から識別できるように、それぞれの取手カバー２４が、形状、色彩、および模様などによって互いに視覚的に異なるように形成されていることは言うまでもない。
【００２０】
これにより、図４（ｂ）に示すように、取手２２のパイプ３０に取手カバーを巻き付けて脱着部３８を反対面４０に貼り付けるだけで、取手カバー２４を取手２２に取り付けることできる。また、取手カバー２４は、取手２２に巻き付けて使用されるので、パイプ３０の径や断面形状に関わらず、常に取手カバー２４を取手２２に密着させて取り付けることができる。
【００２１】
また、本実施例では、脱着部３８に面ファスナーが用いられているが、面ファスナーに替えて粘着層を設けてもよい。
【００２２】
第３実施例に係る取手カバー２４は、図５に示すように、可撓性を有する帯状の部材をパイプ３０に対して螺旋状に巻き付けたものである。これにより、取手２２の径や断面形状に関わらず、常に取手カバー２４を取手２２に密着させて取り付けることができる。また、取手カバー２４の巻き付け回数を調整することで、取手カバー２４の太さを簡単に調節し、使用者が握りやすい太さにすることができる。
【００２３】
なお、本発明に係る取手カバー２４の材質は特に限定されるものではなく、合成樹脂、金属、木材などを用いることができる。また、取手カバー２４の表面に、抗菌機能、芳香機能、消臭機能、防水機能、防汚機能、および蓄光機能などを単独で備えるようにしてもよいし、これらのうち複数の機能を同時に備えるようにしてもよい。さらに、取手カバー２４の表面に凹凸を形成するなどして滑り止め機能を付加してもよい。
【図面の簡単な説明】
【００２４】
【図１】本発明にかかる部屋構造を示す図である。
【図２】本発明にかかる取手を示す正面図（ａ）および側面図（ｂ）である。
【図３】本発明にかかる取手カバーを示す図である。
【図４】本発明にかかる取手カバーの変形例を示す図である。
【図５】本発明にかかる取手カバーの他の変形例を示す図である。
【符号の説明】
【００２５】
１０…部屋構造
１２…床面
１４…天井面
１６…壁面
１８…開口部
２０…戸パネル
２２…取手
２４…取手カバー
２６…戸枠
２８…ヒンジ
３０…パイプ
３４…ベース
３６…スリット
３８…脱着部
４０…反対面
【図１】
2007270456.tif 000003
【図２】
2007270456.tif 000004
【図３】
2007270456.tif 000005
【図４】
2007270456.tif 000006
【図５】
2007270456.tif 000007